(57)【要約】【課題】伝票データの修正時にエラーとなっている箇所を表示させる。【解決手段】伝票データチェック手段４０に、伝票レイアウト上に表示される複数の伝票データ３１の表示位置を行情報と列情報で定義される位置情報として記憶した位置情報記憶手段４３を備え、伝票データ３１および位置情報記憶手段４３に記憶された伝票レイアウトの内容に基づいて伝票イメージデータ５１を生成し、さらに伝票データチェック手段４２によってエラーと判定された伝票データの位置情報によって付加情報５２を生成し、伝票エントリー端末２０にレイアウト構成手段２７を備え、伝票イメージデータ５１および付加情報５２に基づいてレイアウト構成手段２７がエラー箇所を強調表示した伝票データ３１の入力された伝票レイアウトを表示する。【選択図】図１
2011232826.tif 000002
【特許請求の範囲】
【請求項１】
利用者によって外部入力される入力値を伝票データとして保存する伝票データ用記憶装置を備えた伝票エントリー端末と、この保存された前記伝票データを取得し当該取得した伝票データが正しいか否か予め規定された判定基準に基づいてその内容をチェックし正しくない場合に該当する箇所をエラーとして指定し当該エラー箇所の内容に係る情報をエラー情報として外部出力する伝票データチェック装置とを備えたエラー状況表示システムにおいて、
前記伝票データチェック装置が、前記伝票上に表示される伝票データの位置情報を予め記憶した位置情報記憶手段と、この位置情報記憶手段の内容および前記伝票データに基づいて前記伝票データが入力された状態の伝票レイアウトを伝票イメージデータとして作成し前記伝票データ用記憶装置に保存する伝票イメージ作成手段と、前記位置情報記憶手段の内容および前記エラー情報に基づいてエラーとなっている入力値の位置情報を前記エラー情報に付加し保存する付加情報作成手段とを備え、
前記伝票エントリー端末が、前記伝票データ用記憶装置に保存された前記伝票イメージデータを取得する伝票イメージデータ取得手段と、前記伝票データ用記憶装置に保存された前記付加情報を取得する付加情報取得手段と、前記取得した伝票イメージデータおよび付加情報に基づいてエラーとなっている伝票データ上のエラー箇所を強調表示するレイアウト構成手段とを備えたことを特徴とするエラー状況表示システム。
【請求項２】
請求項１に記載のエラー状況表示システムにおいて、
前記位置情報記憶手段は、前記伝票レイアウトの左上を基準点として行情報と列情報とによって示される行列情報を前記位置情報として記憶することを特徴とするエラー状況表示システム。
【請求項３】
請求項１乃至２のいずれか一つに記載のエラー状況表示システムにおいて、
前記伝票イメージ作成手段および前記付加情報作成手段は、伝票の様式を特定する伝票様式情報をそれぞれ前記伝票イメージデータおよび前記付加情報に付加すると共に、
前記レイアウト構成手段は、それぞれ前記伝票様式情報を含んだ前記伝票イメージデータおよび前記付加情報に基づいてエラーとなっている入力値の場所を表示することを特徴とするエラー状況表示システム。
【請求項４】
請求項１乃至３のいずれか一つに記載のエラー状況表示システムにおいて、
前記レイアウト構成手段は、前記画面上に表示されたエラー箇所を利用者が選択した場合に、前記エラー情報に基づいて前記エラーに係る詳細情報を表示することを特徴としたエラー状況表示システム。
【請求項５】
利用者によって外部入力される入力値を伝票データとして保存する伝票データ用記憶装置を備えた伝票エントリー端末と、この保存された前記伝票データを取得し当該取得した伝票データが正しいか否か予め規定された判定基準に基づいてその内容をチェックし正しくない場合に該当する箇所をエラーとして指定し当該エラー箇所の内容に係る情報をエラー情報として外部出力する伝票データチェック装置とを備えたエラー状況表示システムにあって、
前記伝票上に表示される伝票データの位置を示す位置情報を記憶した位置情報記憶手段の内容および前記伝票データに基づいて、前記伝票データが入力された状態の伝票レイアウトを前記伝票データチェック装置に備えられた伝票イメージ作成手段が伝票イメージデータとして作成すると共に前記伝票データ用記憶装置に保存し、
前記位置情報記憶手段の内容および前記エラー情報に基づいてエラーとなっている伝票データの位置情報を前記エラー情報に付加し当該情報を付加情報として前記伝票データ用記憶装置に付加情報作成手段が保存し、
前記伝票エントリー端末に備えられ、前記伝票データ用記憶装置に保存された前記伝票イメージデータを伝票イメージデータ取得手段が取得し、
前記伝票エントリー端末に備えられ、前記伝票データ用記憶装置に保存された付加情報を付加情報取得手段が取得し、
前記取得した伝票イメージデータおよび付加情報に基づいてエラーとなっている伝票データ上のエラー箇所を強調表示するレイアウト構成手段がエラーとなっている箇所を強調表示する構成としたことを特徴とするエラー状況表示システム制御方法。
【請求項６】
請求項５に記載のエラー状況表示システム制御方法において、
前記イメージ作成手段が前記伝票イメージデータを作成する時に、前記位置情報記憶手段に予め記憶された伝票の様式を特定する伝票様式情報、前記位置情報に記憶された位置情報および前記伝票データに基づいて前記イメージデータ作成手段が前記伝票イメージデータを作成し、
前記付加情報作成手段が前記エラー情報に前記位置情報を付加し前記付加情報として作成する時に、前記付加情報作成手段が前記伝票様式情報を前記エラー情報に付加し、
前記レイアウト構成手段がエラーとなっている箇所を表示する時に、それぞれ前記伝票様式情報を含んだ伝票イメージデータおよび前記付加情報に基づいて前記レイアウト構成手段がエラーとなっている箇所を表示する構成としたことを特徴とするエラー状況表示システム制御方法。
【請求項７】
利用者によって外部入力される入力値を伝票データとして保存する伝票データ用記憶装置を備えた伝票エントリー端末と、この保存された前記伝票データを取得し当該取得した伝票データが正しいか否か予め規定された判定基準に基づいてその内容をチェックし正しくない場合に該当する箇所をエラーとして指定し当該エラー箇所の内容に係る情報をエラー情報として外部出力する伝票データチェック装置とを備えたエラー状況表示システムにあって、
前記伝票上に表示される伝票データの位置を示す位置情報を記憶した位置情報記憶手段の内容および前記伝票データに基づいて、前記伝票データが入力された状態の伝票レイアウトを伝票イメージデータとして作成すると共に前記伝票データ用記憶装置に保存する伝票イメージ出力機能、
前記位置情報記憶手段の内容および前記エラー情報に基づいてエラーとなっている伝票データの位置情報を前記エラー情報に付加し当該情報をエラー情報として前記伝票データ用記憶装置に保存する付加情報出力機能、
前記伝票データ用記憶装置に保存された前記伝票イメージデータを取得する伝票イメージデータ取得機能、
前記伝票データ用記憶装置に保存された付加情報を取得する付加情報取得機能、
および前記取得した伝票イメージデータおよび付加情報に基づいてエラーとなっている伝票データ上のエラー箇所を強調表示する付加情報表示機能、
をコンピュータに実現させるようにしたことを特徴とするエラー状況表示システム制御用プログラム。
【発明の詳細な説明】
【技術分野】
【０００１】
本発明は、エラー状況表示システムに関し、特に入力値の入力された伝票レイアウトを電子データとして画面に表示し、入力値がエラーであった場合に当該エラー箇所を伝票レイアウト上に表示するように構成されたエラー状況表示システム、エラー状況表示システム制御方法およびその制御用プログラムに関する。
【背景技術】
【０００２】
不特定多数の伝票データ作成機関が作成した伝票データを、単一の伝票データチェック機関でチェックする場合に、それぞれに機関の間では電子媒体でやり取りする運用形態である場合が多い。例えば図１０に示すような形態のエラーチェックシステムがある。
【０００３】
図１０のエラーチェックシステムは、利用者からの伝票入力を受け付け記憶装置３００に伝票データ３１０として保存する伝票エントリー端末２００と、記憶装置３００に保存された伝票データ３１０を読み込み予め規定されたチェック条件に適するか否か判定し適さない場合に判定対象の伝票データをエラーとして当該エラーに係るエラー情報を外部に併設された出力装置４５０に対して、エラー情報をエラーリスト５００として出力するように制御する伝票データチェック装置４００とを備えている。
【０００４】
前述の伝票エントリー端末２００は、外部に備えられた入力装置２９０から利用者によって入力される入力情報を受け付ける入力手段２８０と、入力手段２８０からの入力情報を受信し伝票データ３１０を作成する伝票データ作成手段２１０と、前述の作成された伝票データ３１０を伝票データ作成手段２１０からの制御によって記憶装置３００に保存する伝票データ出力手段と２２０と、伝票データ作成手段２１０からの制御によって前述の作成された伝票データ３１０を当該伝票エントリー端末２００の外部に併設された出力装置２４０に表示するように制御する表示手段２３０とを備えている。
【０００５】
一方、伝票データチェック装置４００は、入力手段４４０を介して記憶装置３００に保存されている伝票データ３１０を読み取る伝票データ読み取り手段４１０と、読み取った伝票データ３１０を予め規定された判定条件に基づいてチェックしエラーの場合にエラーに係る情報をエラーリスト５００として出力するようにエラーリスト出力手段４３０を介して出力装置４５０を制御する伝票データチェック手段４２０とを備えている。
【０００６】
上述のエラーリスト５００は、前述の伝票データチェック手段によってエラーと判定された伝票データの項目、入力値およびエラーの理由が記されている。当該エラーリスト５００を参照して、利用者は伝票エントリー端末２００を操作してエラー箇所を訂正するシステムである。
【０００７】
このため、利用者はエラーリスト５００に記された項目名および入力値からエラーの箇所を見つけなければならず、エラー箇所の発見に時間がかかってしまうといった不都合があった。
【０００８】
このため、チェック機関でエラーとなった場合に、作成機関に対して比較的簡単な手法を用いて伝票上のエラー箇所の修正を促す運用形態が求められていた。また、エラー箇所を項目名で管理していたため、項目名と当該項目名の位置との対応表が別途必要であり、伝票上の項目変更が発生した場合、すべての伝票データ作成機関において、対応表の更新が必要となり、大変時間がかかってしまう場合が多かった。
【０００９】
これに対し、従来より具体的に知られている上記技術分野の内容としては、特許文献１および特許文献２がある。
【００１０】
特許文献１には、受注データのチェック時に、受注データ内の商品コードが商品マスタに存在しない場合には商品コードを自動登録すると共に、エラー時にはその箇所を画面上に強調表示するように構成されたデータ登録装置が開示されている。
【００１１】
また、特許文献２には、文字情報光学読取装置（ＯＣＲ：Optical Character Reader）を用いて伝票データを読み取り、読み取った伝票データの項目をデータレコードとして出力するように構成された帳票データ入力装置が開示されている。
【先行技術文献】
【特許文献】
【００１２】
【特許文献１】特開２０００−１９４７５０
【特許文献２】特開２００５−１０００７９
【発明の概要】
【発明が解決しようとする課題】
【００１３】
しかしながら、特許文献１に開示されたデータ登録装置は、受注データの商品コードが商品マスタに存在しない場合に、画面上にエラーとして表示するという単一のエラーしか伝えることができない。このため、例えば受注データの明細欄に入力されている商品の個数の合計と受注データの集計欄に表示されている商品の合計とが異なる場合のエラーに対応できないという不都合があった。
【００１４】
さらに、特許文献２に開示された帳票データ入力装置は、帳票のエラーをチェックする機能を有していないため、エラーの有無に関わらず、帳票データをデータレコードとして出力してしまうという不都合があった。
【００１５】
〔発明の目的〕
本発明は、上記関連技術の有する不都合を改善し、伝票の入力値に対して伝票の表題および内容に係る複数種類のエラーチェックを実施し、このチェックにおいてエラーとなった場合に当該エラー箇所を画面上に表示されている伝票レイアウト上に表示することによって、伝票データを利用者が修正する場合に利用者の判断に伴う時間や労力を軽減させ、利用者の負担を軽減させることが可能なエラー状況表示システムを提供することを、その目的とする。
【課題を解決するための手段】
【００１６】
上記目的を達成するため、本発明に係るエラー状況表示システムは、利用者によって外部入力される入力値を伝票データとして保存する伝票データ用記憶装置を備えた伝票エントリー端末と、この保存された前記伝票データを取得し当該取得した伝票データが正しいか否か予め規定された判定基準に基づいてその内容をチェックし正しくない場合に該当する箇所をエラーとして指定し当該エラー箇所の内容に係る情報をエラー情報として外部出力する伝票データチェック装置とを備えたエラー状況表示システムにおいて、前記伝票データチェック装置が、前記伝票上に表示される伝票データの位置情報を予め記憶した位置情報記憶手段と、この位置情報記憶手段の内容および前記伝票データに基づいて前記伝票データが入力された状態の伝票レイアウトを伝票イメージデータとして作成し前記伝票データ用記憶装置に保存する伝票イメージ作成手段と、前記位置情報記憶手段の内容および前記エラー情報に基づいてエラーとなっている入力値の位置情報を前記エラー情報に付加し保存する付加情報作成手段とを備え、前記伝票エントリー端末が、前記伝票データ用記憶装置に保存された前記伝票イメージデータを取得する伝票イメージデータ取得手段と、前記伝票データ用記憶装置に保存された前記付加情報を取得する付加情報取得手段と、前記取得した伝票イメージデータおよび付加情報に基づいてエラーとなっている伝票データ上のエラー箇所を強調表示するレイアウト構成手段とを備えたことを特徴とする。
【００１７】
また、本発明にエラー状況表示システム制御方法は、利用者によって外部入力される入力値を伝票データとして保存する伝票データ用記憶装置を備えた伝票エントリー端末と、この保存された前記伝票データを取得し当該取得した伝票データが正しいか否か予め規定された判定基準に基づいてその内容をチェックし正しくない場合に該当する箇所をエラーとして指定し当該エラー箇所の内容に係る情報をエラー情報として外部出力する伝票データチェック装置とを備えたエラー状況表示システムにあって、前記伝票上に表示される伝票データの位置を示す位置情報を記憶した位置情報記憶手段の内容および前記伝票データに基づいて、前記伝票データが入力された状態の伝票レイアウトを前記伝票データチェック装置に備えられた伝票イメージ作成手段が伝票イメージデータとして作成すると共に前記伝票データ用記憶装置に保存し、前記位置情報記憶手段の内容および前記エラー情報に基づいてエラーとなっている伝票データの位置情報を前記エラー情報に付加し当該情報を付加情報として前記伝票データ用記憶装置に付加情報作成手段が保存し、前記伝票エントリー端末に備えられ、前記伝票データ用記憶装置に保存された前記伝票イメージデータを伝票イメージデータ取得手段が取得し、前記伝票エントリー端末に備えられ、前記伝票データ用記憶装置に保存された付加情報を付加情報取得手段が取得し、前記取得した伝票イメージデータおよび付加情報に基づいてエラーとなっている伝票データ上のエラー箇所を強調表示するレイアウト構成手段がエラーとなっている箇所を強調表示する構成としたことを特徴とする。
【００１８】
更に、本発明に係るエラー状況表示システム制御用プログラムは、利用者によって外部入力される入力値を伝票データとして保存する伝票データ用記憶装置を備えた伝票エントリー端末と、この保存された前記伝票データを取得し当該取得した伝票データが正しいか否か予め規定された判定基準に基づいてその内容をチェックし正しくない場合に該当する箇所をエラーとして指定し当該エラー箇所の内容に係る情報をエラー情報として外部出力する伝票データチェック装置とを備えたエラー状況表示システムにあって、前記伝票上に表示される伝票データの位置を示す位置情報を記憶した位置情報記憶手段の内容および前記伝票データに基づいて、前記伝票データが入力された状態の伝票レイアウトを伝票イメージデータとして作成すると共に前記伝票データ用記憶装置に保存する伝票イメージ出力機能、前記位置情報記憶手段の内容および前記エラー情報に基づいてエラーとなっている伝票データの位置情報を前記エラー情報に付加し当該情報をエラー情報として前記伝票データ用記憶装置に保存する付加情報出力機能、前記伝票データ用記憶装置に保存された前記伝票イメージデータを取得する伝票イメージデータ取得機能、前記伝票データ用記憶装置に保存された付加情報を取得する付加情報取得機能、および前記取得した伝票イメージデータおよび付加情報に基づいてエラーとなっている伝票データ上のエラー箇所を強調表示する付加情報表示機能、をコンピュータに実現させるようにしたことを特徴とするエラー状況表示システム制御用プログラム。
【発明の効果】
【００１９】
本発明は上述したように構成すると共に、エラー情報に位置情報を含んでいることにより、伝票データ作成機関において画面上にエラー箇所にエラーの状況が表示され、エラー修正時の時間短縮と精度向上を図ることができ、さらに伝票上の項目変更が生じた場合に項目変更が容易になる。また、エラーの修正時に参照していた紙で出力されたエラーリストが不要となるため省資源につながるという優れたエラー状況表示システム、エラー状況表示システム制御方法およびエラー状況表示システム制御用プログラムを提供することができる。
【図面の簡単な説明】
【００２０】
【図１】本発明に係るエラー状況表示システムの一実施形態を示すブロック図である。
【図２】図１に開示したブロック図における伝票データチェック装置４０の動作概要を示すフローチャートである。
【図３】図１に開示したブロック図における伝票エントリー端末２０のエラー表示に係る動作概要を示すフローチャートである。
【図４】図１に開示したブロック図における伝票データチェック手段４２の動作概要を示すフローチャートである。
【図５（Ａ）】図１に開示したブロック図における伝票（基本情報）１０の例を示した説明図である。
【図５（Ｂ）】図１に開示したブロック図における伝票（明細情報）１１および１２の例を示した説明図である。
【図５（Ｃ）】図１に開示したブロック図における伝票（集計情報）１３の例を示した説明図である。
【図６】図１に開示したブロック図における伝票データ３１に保存されたレコードの例を示した説明図である。（Ａ）図１に開示したブロック図における伝票データ３１に保存されたレコードの値の例を示した説明図である。（Ｂ）図１に開示したブロック図における伝票データ３１に保存されたレコード内容の例を示した説明図である。
【図７】図１に開示したブロック図における付加情報５２に保存されたレコードの例を示した説明図である。（Ａ）図１に開示したブロック図における付加情報５２に保存されたレコードの値の例を示した説明図である。（Ｂ）図１に開示したブロック図における付加情報５２に保存されたレコード内容の例を示した説明図である。
【図８（Ａ）】図１に開示したブロック図において出力装置２４に表示されたエラー箇所６０をクリックした場合に表示されるエラー説明画面６１の例を示した説明図である。
【図８（Ｂ）】図１に開示したブロック図において出力装置２４に表示されたエラー箇所７０をクリックした場合に表示されるエラー説明画面７１の例を示した説明図である。
【図８（Ｃ）】図１に開示したブロック図において出力装置２４に表示されたエラー箇所８０をクリックした場合に表示されるエラー説明画面８１の例を示した説明図である。
【図９（Ａ）】位置情報記憶機能４３に記憶された伝票（基本情報）１０の各入力値の位置を行情報および列情報で定義した説明図である。
【図９（Ｂ）】位置情報記憶機能４３に記憶された伝票（明細情報）１１および１２の各入力値の位置を行情報および列情報で定義した説明図である。
【図９（Ｃ）】位置情報記憶機能４３に記憶された伝票（集計情報）１３の各入力値の位置を行情報および列情報で定義した説明図である。
【図１０】従来におけるエラーチェックシステムの形態を示すブロック図である。
【発明を実施するための形態】
【００２１】
〔実施形態〕
以下、本発明に係るエラー状況表示装置の一実施形態を、図１乃図９に基づいて説明する。
【００２２】
まず、図１に示す実施形態は、利用者によって外部入力される入力値を伝票データ３１として伝票データ用記憶装置３０に保存する伝票エントリー端末２０と、伝票データ用記憶装置３０から伝票データ３１を取得し、この取得した伝票データ３１が正しいか否か予め規定された判定基準に基づいて判定し正しくない場合に判定対象の入力値をエラーとして前述の入力値およびこの入力値に係る情報をエラー情報として作成し、この作成したエラー情報を伝票データ用記憶装置５０に保存する伝票データチェック装置４０とを備えている。
【００２３】
また、前述の伝票エントリー端末２０の外部に利用者からの入力操作を受け付ける入力装置２９を併設すると共に、伝票エントリー端末２０は前述の入力装置２９で受け付けた入力情報を受信する入力手段２８と、入力手段２８からの入力情報によって起動する伝票データ作成手段２１とを備えている。
【００２４】
ここで、伝票データ作成手段２１は、伝票データ作成に係るプログラムを予め内部に図示しない形で記憶しており、この伝票データ作成プログラムを利用者が入力装置２９を介して伝票データ作成手段２１に実行させることにより、伝票データ作成手段２１は伝票データを作成するものとする。
【００２５】
前述の入力装置２９を介して利用者によって行われる操作により、伝票データ作成手段２１は、図５（Ａ）に示す伝票（基本情報）１０と、複数の枚数からなる図５（Ｂ）に示す伝票（明細情報）１１乃至１２と、図５（Ｃ）に示す伝票（集計情報）１３とを伝票データ３１として作成する。
【００２６】
また、伝票エントリー端末２０は、前述の伝票データ作成手段２１の制御により伝票データ３１を伝票データ用記憶装置３０に出力する伝票データ出力手段２２と、伝票データ作成手段２１の制御により伝票データ３１を表示用に変換して出力する表示手段２３とを備えると共に、伝票エントリー端末２０の外部に表示手段２３から出力された表示用情報を画面に表示する出力装置２４が併設されている。
【００２７】
これにより、利用者は入力装置２９を操作して伝票データ作成手段２１を制御し、出力装置２４に表示された内容を確認しながら伝票データ３１を作成し、作成した伝票データ３１を伝票データ用記憶装置３０に保存することが可能となる。
【００２８】
ここで、伝票データ３１について説明すると、伝票データ３１は、図６（Ｂ）に示すように前述の基本情報１０、明細情報１１および１２、集計情報１３の3種類のレコード形式によって１つの伝票が構成されており、実際に利用者によって入力された伝票データが格納された例を図６（Ａ）示す。
【００２９】
ここで、前述の利用者によって入力された図５（Ａ）で示した入力値１０Ａの「Ａ００１」に対応する入力値は図６（Ａ）の案件ＩＤの格納場所である３１Ａに保存され、この項目名は図６（Ｂ）を参照すると３１Ｂの「案件ＩＤ」であることが分かる。同様に、図５（Ｂ）で示した入力値１１Ａの「Ｎ−Ｂ−７０」に対応する入力値は図６（Ａ）の部品コードの格納場所である３１Ｃに保存され、この項目名は図６（Ｂ）を参照すると「部品コード」を示す値であり、図５（Ｂ）で示した入力値１３Ａの「１０」に対応する値は図６（Ａ）の分類Ｃの数量の格納場所である３１Ｅに保存され、図６（Ｂ）を参照すると「分類Ｃの数量」を示す値であることが分かる。
【００３０】
一方、伝票データチェック装置４０は、図９（Ａ）に示すように伝票（基本情報）１０の伝票レイアウトおよび当該伝票レイアウトの各項目に対応したそれぞれの入力値が表示される位置を伝票の左上を基準点とした行情報および列情報によって定義した位置情報が予め記憶されている位置情報記憶手段４３と、前述の伝票データ用記憶装置３０に保存されている伝票データ３１を入力手段４７を介して取得する伝票データ読取手段４１と、伝票データ読取手段４１の取得した伝票データ３１を予め規定された判定条件に基づいて判定しエラーであった場合には該当するエラー箇所の位置情報を位置情報記憶手段４３から取得する伝票データチェック手段４２とを備えている。
【００３１】
ここで、伝票データ読取手段４１は、入力手段４７に伝票データ用記憶装置３０が入力されると、伝票データチェック手段４２内部に図示しない形で記憶されている伝票データチェックに係るプログラムを、この伝票データチェック手段４２に実行させると共に、伝票データ読取手段４２は、伝票データ取得手段４１に対して伝票データ用記憶装置３０に保存されている伝票データ３１を読み取るように制御するものとする。
【００３２】
この制御によって、伝票データ読取手段４１は、入力手段４７を介して伝票データ用記憶装置３０から前述の伝票データ３１を読み取り、この読み取った伝票データ３１を伝票データチェック手段４２に送信することができる。
さらに、伝票データチェック手段４２は、前述の読み取った伝票データ３１を正しいデータであるか否か判定することが可能となる。
【００３３】
また、伝票データチェック手段４２は、伝票データ読取手段４１から取得した伝票データ３１のレコード件数をカウントするレコードカウンタと、レコード内の値の件数をカウントする項目カウンタと、付加情報を何件目のレコードに保存するかカウントする付加情報レコードカウンタと、現在チェック中のレコードが最終レコードであるか否かを判定する最終レコード判定機能と、現在チェック中の値が最終項目であるか否か判定する最終項目判定機能と、前述の予め規定された判定条件を記憶したチェック条件記憶機能とを予め図示しない形で内部に有している。
【００３４】
さらに、伝票データチェック装置４０は、伝票データチェック手段４２からの指令によって稼動し入力値が入力された状態の伝票レイアウトを伝票イメージデータ５１として作成する伝票イメージデータ作成手段４４と、伝票データチェック手段４２からの指令によって稼動し付加情報５２を作成する付加情報作成手段４５と、伝票イメージ作成手段４４で作成された伝票イメージデータ５１および付加情報作成手段４５で作成されたエラー情報５２を伝票データ用記憶装置５０に出力する出力手段４６とを備えている。
【００３５】
ここで、位置情報記憶手段４３は、基本情報の伝票レイアウト図９（Ａ）と同様の形式で明細情報および集計情報も記憶されているものとする。
【００３６】
これにより、例えば、図５（Ａ）の項目名が案件ＩＤの入力値１０Ａに対応する位置情報は、図９（Ａ）を参照すると案件ＩＤの入力値の位置情報６０Ａとなり「２行目の１列目」といった位置情報が定義されている。同様に図５（Ｂ）の入力値１１Ａに対応する位置情報は図９（Ｂ）の位置情報７０Ａで「３行目の２列目」となり、図５（Ｃ）の入力値１３Ａに対応する位置情報は図９（Ｃ）の位置情報８０Ａで「２行目の２列目」となる。
【００３７】
このように、位置情報記憶手段４３に保存されている位置情報を参照することによって、伝票データチェック手段４２は、伝票１０乃至１３の各入力値に対応する位置情報を取得することが可能となる。
【００３８】
また、伝票データチェック手段４２は、前述の位置情報記憶手段４３から位置情報を含んだ伝票レイアウトを取得し、取得した伝票レイアウトを伝票データと共に伝票イメージ作成手段４４に送信する機能を有する。
【００３９】
また、伝票イメージ作成手段４４は、前述の伝票データチェック手段４２の制御により、当該伝票データチェック手段４２から送信された伝票レイアウトおよび伝票データに基づいて伝票レイアウトに伝票データを入力し、これを図５（Ａ）乃至（Ｃ）の伝票イメージ１０乃至１３のように伝票イメージデータ５１として生成し、当該生成した伝票イメージデータ５１を出力手段４６に送信する機能を有する。
【００４０】
これにより、伝票データが入力され、且つ各入力値の位置情報が定義された伝票イメージデータ５１を伝票イメージデータ作成手段４４が作成することが可能となる。
【００４１】
さらに、付加情報作成手段４５は、前述の伝票データチェック手段４２の制御により、当該伝票データチェック手段４２から送信された入力値に係るエラー情報および位置情報記憶手段４３から取得した前記入力値の位置情報を付加情報５２として生成し、当該生成した付加情報５２を出力手段４６に送信する機能を有する。
【００４２】
出力手段４６は、伝票イメージ作成手段４４および付加情報作成手段４５を介してなされる伝票デーチェック手段４２の制御によって、伝票イメージデータ５１および付加情報５２を伝票データ用記憶装置５０に保存する機能を有する。
【００４３】
これにより、伝票イメージ作成手段４４および付加情報作成手段４５で作成された情報を出力手段４６が伝票データ用記憶装置５０に保存することが可能となる。
【００４４】
ここで、前述の付加情報５２は、図７（Ｂ）に示す付加情報レコード５２Ｅのようなレコード形式で保存され、位置情報として行情報５２Ｂおよび列情報５２Ｄが含まれている。複数のエラー情報が格納された例を図７（Ａ）に示す。
【００４５】
例えば、図７（Ａ）の行情報５２Ａおよび列情報５２Ｃの値は「２，１」となっており、これは図７（Ｂ）の行情報５２Ｂおよび列情報５２Ｄを参照すると「行位置，列位置」であるので、５２Ａおよび５２Ｃは「２行目，１列目」の位置情報を示している。
【００４６】
前述のように、付加情報５２に行情報５２Ａおよび列情報５２Ｃを付加することにより、エラーデータの位置情報を付加することが可能となる。
【００４７】
一方、伝票エントリー端末２０は、伝票データ用記憶装置５０に保存された伝票イメージデータ５１を入力手段２８を介して取得する伝票イメージデータ読取手段２５と、伝票データ用記憶装置５０に保存された付加情報５２を入力手段２８を介して取得する付加情報読取手段２６と、取得したイメージデータ５１および付加情報５２に基づいてエラーとなっている伝票データ上の入力値の場所を特定し当該特定箇所を強調表示した伝票イメージを生成し、この生成した伝票イメージを伝票データ作成手段２１を介して表示手段２３に送信し、表示手段２３を介して出力装置２４に表示させるように制御するレイアウト構成手段２７とを備えている。
【００４８】
前述の伝票作成手段２１は、レイアウト構成手段２７によって生成されたエラー箇所を特定した伝票イメージデータを出力手段２４に表示し、入力装置２９を介して行われる利用者の操作によってエラー箇所が選択されると、伝票イメージデータ５１および付加情報５２に基づいて項目名、エラーメッセージ、エラー位置情報および入力値を表示したエラー説明画面６０Ａ乃至６０Ｃを出力装置２４上でポップアップして表示するように出力手段２４を制御する機能を有する。
【００４９】
ここで、前述のエラー説明画面の６１乃至７１の例を図８（Ａ）乃至（Ｃ）に示す。
前述の表示手段２３は、伝票イメージ（基本情報）上にエラー説明画面６１を生成し、図７（Ａ）に示す付加情報５２からエラーコード、エラーメッセージ、データ種別コード、枝番号、行位置５２Ａおよび列位置５２Ｃを取得し、エラー説明画面６１内のエラー情報欄６２に表示すると共に、伝票イメージデータ  ５１から図５（Ａ）に示す案件ＩＤの入力値１０Ａである「Ａ００１」を取得し、エラー説明画面６１内の値の欄６３に表示する機能を有している。
【００５０】
同様に、表示手段２３は、伝票イメージ（明細情報）および（集計情報）上に表示されるエラー説明画面７１および８１についても、それぞれ伝票イメージデータおよび付加情報からエラー情報と値を取得し出力する機能を有している。
【００５１】
このため、利用者は、出力装置２４の伝票イメージデータが表示された画面上でエラー箇所を特定することができるだけでなく、入力装置２９を介して前述のエラー箇所を選択することにより、さらに詳細はエラー情報を得ることが可能となる。
【００５２】
ここで、本実施形態では伝票データ用記憶装置３０と伝票データ用記憶装置５０は別の記憶装置として示しているが、伝票データ３１、伝票イメージデータ５１および付加情報５２を保存することのできる記憶装置ならば同じ記憶装置を使用してもよいものとする。
【００５３】
また、本実施形態では、伝票データ３１、伝票イメージデータ５１および付加情報５２の運搬に記憶装置を用いたが、伝票エントリー端末２０と伝票データチェック装置４０をネットワークで接続し、ネットワークを介して送信するようにしてもよいものとする。
【００５４】
さらに、本実施形態では、１台の伝票データエントリー端末２０から伝票データ３１が作成される場合を例示したが、複数の伝票エントリー端末２０からそれぞれ複数の伝票データ３１が作成されるようにしてもよいものとする。
〔全体的な動作〕
次に、エラー状況表示システムの全体的な動作について図１乃至図９に基づいて説明する。
【００５５】
図１において、まず最初に利用者は伝票エントリー端末２０に外部接続された入力装置２９を操作し入力手段２８を介して、伝票データ作成手段２１内部に格納されている伝票作成に係るプログラムを当該伝票データ作成手段２１に実行させる。
【００５６】
続いて、利用者は入力装置２９を操作し入力手段２８を介して、図５（Ａ）乃至（Ｃ）に示す基本情報１０、明細情報１１乃至１２、および集計情報１３の３種類の様式から構成される伝票データを入力する。
【００５７】
入力手段２８から送信された入力情報を受信した伝票作成手段２１は、前述の利用者によって入力された伝票データを、伝票データ出力手段２２に対して送信し、この伝票データを伝票データ用記憶装置３０に保存するように制御する。この伝票データを受信した伝票データ出力手段２２は、図６（Ｂ）に示すように基本情報、明細情報および集計情報の３種類のレコードで１件の伝票データを構成した図６（Ａ）に示す伝票データレコードを、伝票データ用記憶装置３０に伝票データ３１として保存する。
【００５８】
伝票データ３１が保存された伝票データ用記憶装置３０は、伝票データチェック手段４０を有するデータチェック機関に送付され、伝票データ用記憶装置３０を入力手段４７に入力する。
【００５９】
伝票データチェック装置４０に備えられた伝票データ読取手段４１は、入力手段４７に伝票データ用記憶装置３０が入力されると、伝票データチェック手段４２内部に格納されている伝票データチェックに係るプログラムを当該伝票データチェック手段４２に実行させると共に、伝票データチェック手段４２は、伝票データ読取手段４１に対して伝票データ用記憶装置３０に保存された伝票データ３１を読み取るように制御し、この制御によって伝票データ読取手段４１は伝票データ用記憶装置３０に保存された伝票データ３１を読み取り（図２：Ｓ２００／伝票データ読取工程）、読み取った伝票データ３１を伝票データチェック手段４２に送信する。
【００６０】
伝票データ３１を取得した伝票データチェック手段４２は、当該伝票データチェック手段４２内部のチェック条件記憶機能からチェック条件を読み出し、取得した伝票データを当該チェック条件に基づいて適合するか否かチェックする（図２：Ｓ２０１／伝票データチェック工程）。
【００６１】
ここで、前述の伝票データチェック手段４２が行うチェック動作を図４に基づいて説明する。まず、チェックするレコードの件数をカウントするレコードカウンタと、レコードの内容の項目数をカウントする項目カウンタと、伝票データチェック手段４２によって入力値がエラーであると判定された場合にエラー情報を保存する付加情報のレコード数をカウントするレコードカウンタとに対して、伝票データチェック手段４２が初期値として１を保存する（図４：Ｓ１０１／カウンタ初期値設定工程）。
【００６２】
続いて、伝票データチェック手段４２は、レコードカウンタに保存されている番号のレコード且つ項目カウンタに保存されている番号の項目（入力値）をチェック項目として設定する（図４：Ｓ１０２／チェック項目設定工程）と共に、設定した項目に対応する判定条件をチェック条件記憶機能から取得する（図４：Ｓ１０３／チェック条件取得工程）。
【００６３】
伝票データチェック手段４２は、前述の取得したチェック条件に基づいて取得したチェック項目が前記チェック条件に適合するか否かを判定し（図４：Ｓ１０４／チェック工程）、不適合の場合はエラーとして現在チェック中の項目の位置情報を位置情報記憶手段４３から取得する（図４：Ｓ１０７／位置情報取得工程）。
【００６４】
この時、位置情報記憶手段４３は、図９（Ａ）乃至（Ｃ）に示すような基本情報、明細情報および集計情報の各伝票様式に対応し、且つ各項目の入力値の位置を定義した位置情報が予め保存されている。このため、伝票データチェック手段４２は、エラーと判定した伝票データの入力値の位置情報を取得することが可能となる。
【００６５】
例えば、図５（Ａ）の案件ＩＤの入力値である「Ａ００１」が前述のチェック条件に不適合であった場合、「Ａ００１」が入力されている入力値１０Ａの位置情報は、図９（Ａ）を参照すると位置情報６０Ａに定義されている「２行１列」であり、この位置情報を伝票データチェック手段４２が取得する。
【００６６】
また、伝票データチェック手段４２は、前述のチェック条件記憶機能から前記エラーとなった入力値に係るエラーコードおよびエラーメッセージを取得し（図４：Ｓ１０８／エラー情報取得工程）、付加情報レコードカウンタに記憶されている番号の付加情報レコードに取得した入力値、エラーコード、エラーメッセージおよびエラーの位置情報を保存する（図４：Ｓ１０９／付加情報保存工程）。
【００６７】
ここで、前述の付加情報レコードカウンタは、前述のカウンタ初期値設定工程にて初期値として「１」が保存されているので、伝票データチェック手段４２は、１番目の付加情報レコードに付加情報を保存することになる。
【００６８】
伝票データチェック手段４２は、前述の付加情報を付加情報レコードに保存すると、当該保存した付加情報を上書きしてしまうことを防ぐため、付加情報レコードカウンタに１を加算する（図４：Ｓ１１０／付加情報レコード加算工程）。
【００６９】
ここで、伝票データチェック手段４２は、最終項目判定機能によって項目カウンタに保存されている現在チェック中の項目がレコード内の最終項目であるか否か判定し（図４：Ｓ１０５／最終項目判定工程）、最終項目でない場合は項目カウンタに１を加算して同一レコードの次の項目のチェックを行う（図４：Ｓ１１１／項目カウンタ加算工程）。
【００７０】
一方、最終項目であると判定された場合には、伝票データチェック手段４２は、最終レコード判定機能によって、レコードカウンタに保存されている現在チェック中のレコードが最終レコードであるか否か判定し（図４：Ｓ１０６／最終レコード判定工程）、最終レコードでない場合にはレコードカウンタに１を加算すると共に項目カウンタに１（初期値）を登録し（図４：Ｓ１１２／レコードカウンタ加算工程）、次のレコードの最初の項目をチェックする。また、最終レコードである場合にはチェックを修了する。
【００７１】
前述の図４のＳ１０１乃至Ｓ１１２に示したチェック処理を、全ての伝票データに実施することにより、伝票データがエラーでない場合は何も出力されないが、エラーであった場合には付加情報を出力される。
【００７２】
伝票データチェック手段４２は、前述の伝票データ３１のチェックを終了すると、伝票イメージ作成手段４４および付加情報作成手段４５を稼動させ、位置情報記憶手段４３から基本情報、明細情報および集計情報の位置情報を含んだ伝票レイアウトを取得し、取得した伝票レイアウトおよび前述の伝票データ読取手段４１で取得した伝票データ３１を、伝票イメージ作成手段４４に送信する（図２：Ｓ２０２／伝票イメージ出力工程）と共に、付加情報レコードに保存された内容を、付加情報作成手段４５に送信する（図２：Ｓ２０３／付加情報出力工程）。
【００７３】
伝票データチェック手段４２から伝票レイアウトおよび伝票データを受信した伝票イメージ作成手段４４は、伝票レイアウトに伝票データを埋め込み、図５（Ａ）乃至（Ｃ）に示すような伝票イメージ５１を生成し、出力手段４６に対して当該生成した伝票イメージ５１を伝票データ用記憶装置５０に出力するように制御する。
【００７４】
また、伝票データチェック手段４２から付加情報を受信した付加情報作成手段４５は、前述の付加情報を伝票データ用記憶装置５０に出力するように出力手段４６を制御する。この付加情報は、図７（Ｂ）に示すように機関番号、伝票番号、エラーコード、エラーメッセージ、データ種別コード、枝番号、行位置および列位置の項目により１件の付加情報５２を構成し、実際には、図７（Ａ）に示すようなレコードとなる。
【００７５】
伝票イメージ作成手段４４および付加情報作成手段４５から伝票イメージデータ５１および付加情報５２を受信したそれぞれ出力手段４６は、伝票データ用記憶装置５０に受信した伝票イメージデータ５１および付加情報５２を保存する。
【００７６】
伝票イメージデータ５１および付加情報５２が保存された伝票データ用記憶装置５０は、伝票エントリー端末２０を有するデータ作成機関に送付される。
【００７７】
送付された伝票データ用記憶装置５０が入力手段２８に入力されたことを受けて、エラー表示装置２０のイメージデータ読取手段２５は、伝票データ用記憶装置５０に保存されている伝票イメージデータ５１を読み込み（図３：Ｓ３００／伝票イメージデータ読込工程）、読み込んだ伝票イメージデータ５１をレイアウト構成手段２７に送信する。
【００７８】
ここで、レイアウト構成手段２７は、受信した伝票イメージデータ５１を伝票データ作成手段２１に送信し、この伝票データ作成手段２１は受信した伝票イメージデータ５１を表示手段２３に送信する。
【００７９】
表示手段２３は、受信した伝票イメージデータ５１を、出力装置２４が備える画面上に出力するように出力装置２４を表示制御し、出力装置２４は前述の表示制御を受けて画面上に伝票イメージを表示する（図３：Ｓ３０１／伝票イメージ表示工程）。
【００８０】
一方、付加情報読取手段２６は、伝票データ用記憶装置５０に保存されている付加情報５２を読み込み（図３：Ｓ３０２／付加情報読込工程）、読み込んだ付加情報５２をレイアウト構成手段２７に送信する。
【００８１】
レイアウト構成手段２７は、受信した付加情報５２に保存されている機関番号、伝票番号、データ種別コード、当該データ種別コードの枝番号、行位置および列位置に基づいて先に当該レイアウト構成手段２７で構成された伝票イメージデータ５１上の位置を特定し、特定された位置に入力されている伝票データに対して、当該項目はエラーであることを示す強調表示処理を行い表示手段２３に送信する。
【００８２】
表示手段２３は、受信したエラー箇所が強調表示された伝票イメージデータを出力装置２４が備える画面上に出力するように出力装置２４を表示制御し、出力装置２４は前述の表示制御を受けて、画面上にエラー箇所が強調表示された伝票イメージを表示する（図３：Ｓ３０３／付加情報表示工程）。
【００８３】
さらに、伝票データ作成手段２１は、出力装置２４の画面上に強調表示されたエラー箇所を利用者が選択（クリック）したと入力手段２８を介して受け付けると、エラー説明画面を最前面画面で表示するポップアップで表示し、付加情報５２の内容であるエラーコードおよびエラーメッセージに係る情報を出力装置２４に出力する。
【００８４】
例えば、出力装置２４に図８（Ａ）に示すエラー箇所が網掛状態で強調されている案件ＩＤの入力値６０を、利用者が入力装置２９を介して選択した場合には、まず、伝票データ作成手段２１がエラー説明画面６１を生成し、生成したエラー説明画面６１上に、付加情報５２から取得した図７（Ａ）に示す行情報５２Ａおよび列情報５２Ｃである「２（行目）」、「１（列目）」をエラー情報６２として表示すると共に、伝票イメージデータ５１から取得した図５（Ａ）に示す案件ＩＤの入力値１０Ａである「Ａ００１」をエラー値６３として表示する。
【００８５】
同様に、図８（Ｂ）に示すエラー箇所７０および図８（Ｃ）に示すエラー箇所８０を利用者が選択した場合には、それぞれ伝票データ作成手段２１がエラー説明画面７１および８１をそれぞれ伝票イメージデータ上に表示し、また、エラー情報としてエラー情報７２およびエラー情報８２を前述のエラー説明画面７１および８１上にそれぞれ表示し、さらにエラー値としてエラー値７３およびエラー値８３をエラー説明画面上７１および８１にそれぞれ表示する。
【００８６】
このため、伝票データ作成手段２１は、エラー箇所を強調表示し、利用者が入力装置２９を介してこの強調表示されたエラー箇所を選択することによって、エラーに係る詳細情報が表示されるため、利用者はエラー箇所を容易に発見することができ、さらにエラー内容を知ることができる。
【００８７】
ここで、上述した実施形態における全体的な動作にあって、伝票データ読取工程、伝票データチェック工程、カウンタ初期値設定工程、チェック項目設定工程、チェック条件取得工程、位置情報取得工程、エラー情報取得工程、付加情報保存工程、付加情報レコード加算工程、最終項目判定工程、項目カウンタ加算工程、最終レコード判定工程、レコードカウンタ加算工程、伝票イメージ出力工程、付加情報出力工程、伝票イメージデータ読込工程、伝票イメージ表示工程、付加情報読込工程および付加情報表示工程で実行される各実行内容をプログラム化し、これをコンピュータに機能させるように構成してもよい。
【００８８】
〔実施形態の効果〕
以上のように、本実施形態では、伝票データチェック手段４０に備えられた伝票データチェック手段４２が、位置情報記憶手段４３に記憶された位置情報を含んだ伝票レイアウトと、伝票データチェック手段４２によってエラーと判定された伝票データの位置情報を含んだエラー情報と、伝票データとを取得し、伝票レイアウトおよび伝票データに基づいて伝票イメージ作成手段４４が伝票イメージデータ５１を生成し、エラー情報に基づいて付加情報作成手段４５が付加情報５２を生成し、出力手段４６によって伝票データ用記憶装置５０に保存する。この伝票データ用記憶装置５０に保存された内容を伝票エントリー端末２０に備えられた伝票イメージデータ読取手段２５および付加情報読み取り手段２６でそれぞれ伝票イメージデータ５１と付加情報５２を読み込み、レイアウト構成手段２７が伝票イメージデータ５１を表示手段２３を介して出力手段２４に表示させ、さらにレイアウト構成手段２７が付加情報５２に基づいてエラーとなっている位置情報の位置に表示された伝票データを強調表示させ、この強調表示された伝票データを利用者が入力装置２９を介して選択することによって、伝票データ作成手段２１がエラー情報を表示したエラー説明画面６１乃至８１を表示することが可能となる。これによって、利用者はエラー修正時に、エラー箇所を容易に発見することができ、さらにエラー状況が表示されるため、エラー修正時の時間短縮と精度向上を図ることができる。また、伝票上の項目変更が生じた場合に、エラー箇所を項目名ではなく位置情報で管理しているため、変更対応が容易となると共に、従来のように紙で出力されたエラーリストが不要となるため紙資源の使用を抑えることが可能となる。
【００８９】
〔その他の実施形態〕
上述したように、一実施形態は図５（Ａ）の１０乃至（Ｃ）の１３のように３種類の様式からなる伝票を扱っている場合を例示したが、伝票データ作成手段２１に伝票と様式を特定する伝票様式情報を伝票データ３１に付加する機能を新たに有し、位置情報記憶手段４３に予め伝票様式情報を保存させ、伝票イメージ作成手段４４が伝票データ３１と位置情報記憶手段４３に保存されている位置情報および伝票様式情報とに基づいて伝票イメージデータ５１を作成し、付加情報作成手段４５がエラー情報と位置情報記憶手段４３に保存されている位置情報および伝票様式情報とに基づいて付加情報を作成し、レイアウト構成手段２７がそれぞれ伝票様式情報を含んだ伝票イメージデータ５１および付加情報５２に基づいてエラーとなっている入力値が格納されている場所を表示することにより、複数の伝票様式を同時に扱うことが可能となる
このようにしても、前述した一実施形態と同等の作用効果を備えたエラー状況表示システムを得ることができる。
【００９０】
上述した実施形態については、その新規な技術的内容の要点をまとめると、以下の付記のようになる。
尚、上記実施形態の一部又は全部は、新規な技術として以下のようにまとめられるが、本発明は必ずしもこれに限定されるものではない。
【００９１】
（付記１）利用者によって外部入力される入力値を伝票データとして保存する伝票データ用記憶装置を備えた伝票エントリー端末と、この保存された前記伝票データを取得し当該取得した伝票データが正しいか否か予め規定された判定基準に基づいてその内容をチェックし正しくない場合に該当する箇所をエラーとして指定し当該エラー箇所の内容に係る情報をエラー情報として外部出力する伝票データチェック装置とを備えたエラー状況表示システムにおいて、
前記伝票データチェック装置が、前記伝票上に表示される伝票データの位置情報を予め記憶した位置情報記憶手段と、この位置情報記憶手段の内容および前記伝票データに基づいて前記伝票データが入力された状態の伝票レイアウトを伝票イメージデータとして作成し前記伝票データ用記憶装置に保存する伝票イメージ作成手段と、前記位置情報記憶手段の内容および前記エラー情報に基づいてエラーとなっている入力値の位置情報を前記エラー情報に付加し保存する付加情報作成手段とを備え、
前記伝票エントリー端末が、前記伝票データ用記憶装置に保存された前記伝票イメージデータを取得する伝票イメージデータ取得手段と、前記伝票データ用記憶装置に保存された前記付加情報を取得する付加情報取得手段と、前記取得した伝票イメージデータおよび付加情報に基づいてエラーとなっている伝票データ上のエラー箇所を強調表示するレイアウト構成手段とを備えたことを特徴とするエラー状況表示システム。
【００９２】
（付記2）付記１に記載のエラー状況表示システムにおいて、
前記位置情報記憶手段は、前記伝票レイアウトの左上を基準点として行情報と列情報とによって示される行列情報を前記位置情報として記憶することを特徴とするエラー状況表示システム。
【００９３】
（付記３）付記１乃至２のいずれか一つに記載のエラー状況表示システムにおいて、
前記伝票イメージ作成手段および前記付加情報作成手段は、伝票の様式を特定する伝票様式情報をそれぞれ前記伝票イメージデータおよび前記付加情報に付加すると共に、
前記レイアウト構成手段は、それぞれ前記伝票様式情報を含んだ前記伝票イメージデータおよび前記付加情報に基づいてエラーとなっている入力値の場所を表示することを特徴とするエラー状況表示システム。
【００９４】
（付記4）付記１乃至３のいずれか一つに記載のエラー状況表示システムにおいて、
前記レイアウト構成手段は、前記画面上に表示されたエラー箇所を利用者が選択した場合に、前記エラー情報に基づいて前記エラーに係る詳細情報を表示することを特徴としたエラー状況表示システム。
【００９５】
（付記5）利用者によって外部入力される入力値を伝票データとして保存する伝票データ用記憶装置を備えた伝票エントリー端末と、この保存された前記伝票データを取得し当該取得した伝票データが正しいか否か予め規定された判定基準に基づいてその内容をチェックし正しくない場合に該当する箇所をエラーとして指定し当該エラー箇所の内容に係る情報をエラー情報として外部出力する伝票データチェック装置とを備えたエラー状況表示システムにあって、
前記伝票上に表示される伝票データの位置を示す位置情報を記憶した位置情報記憶手段の内容および前記伝票データに基づいて、前記伝票データが入力された状態の伝票レイアウトを前記伝票データチェック装置に備えられた伝票イメージ作成手段が伝票イメージデータとして作成すると共に前記伝票データ用記憶装置に保存し、
前記位置情報記憶手段の内容および前記エラー情報に基づいてエラーとなっている伝票データの位置情報を前記エラー情報に付加し当該情報を付加情報として前記伝票データ用記憶装置に付加情報作成手段が保存し、
前記伝票エントリー端末に備えられ、前記伝票データ用記憶装置に保存された前記伝票イメージデータを伝票イメージデータ取得手段が取得し、
前記伝票エントリー端末に備えられ、前記伝票データ用記憶装置に保存された付加情報を付加情報取得手段が取得し、
前記取得した伝票イメージデータおよび付加情報に基づいてエラーとなっている伝票データ上のエラー箇所を強調表示するレイアウト構成手段がエラーとなっている箇所を強調表示する構成としたことを特徴とするエラー状況表示システム制御方法。
【００９６】
（付記6）付記５に記載のエラー状況表示システム制御方法において、
前記イメージ作成手段が前記伝票イメージデータを作成する時に、前記位置情報記憶手段に予め記憶された伝票の様式を特定する伝票様式情報、前記位置情報に記憶された位置情報および前記伝票データに基づいて前記イメージデータ作成手段が前記伝票イメージデータを作成し、
前記付加情報作成手段が前記エラー情報に前記位置情報を付加し前記付加情報として作成する時に、前記付加情報作成手段が前記伝票様式情報を前記エラー情報に付加し、
前記レイアウト構成手段がエラーとなっている箇所を表示する時に、それぞれ前記伝票様式情報を含んだ伝票イメージデータおよび前記付加情報に基づいて前記レイアウト構成手段がエラーとなっている箇所を表示する構成としたことを特徴とするエラー状況表示システム制御方法。
【００９７】
（付記7）利用者によって外部入力される入力値を伝票データとして保存する伝票データ用記憶装置を備えた伝票エントリー端末と、この保存された前記伝票データを取得し当該取得した伝票データが正しいか否か予め規定された判定基準に基づいてその内容をチェックし正しくない場合に該当する箇所をエラーとして指定し当該エラー箇所の内容に係る情報をエラー情報として外部出力する伝票データチェック装置とを備えたエラー状況表示システムにあって、
前記伝票上に表示される伝票データの位置を示す位置情報を記憶した位置情報記憶手段の内容および前記伝票データに基づいて、前記伝票データが入力された状態の伝票レイアウトを伝票イメージデータとして作成すると共に前記伝票データ用記憶装置に保存する伝票イメージ出力機能、
前記位置情報記憶手段の内容および前記エラー情報に基づいてエラーとなっている伝票データの位置情報を前記エラー情報に付加し当該情報をエラー情報として前記伝票データ用記憶装置に保存する付加情報出力機能、
前記伝票データ用記憶装置に保存された前記伝票イメージデータを取得する伝票イメージデータ取得機能、
前記伝票データ用記憶装置に保存された付加情報を取得する付加情報取得機能、
および前記取得した伝票イメージデータおよび付加情報に基づいてエラーとなっている伝票データ上のエラー箇所を強調表示する付加情報表示機能、
をコンピュータに実現させるようにしたことを特徴とするエラー状況表示システム制御用プログラム。
【産業上の利用可能性】
【００９８】
本発明は、伝票データエントリー端末によって作成される伝票データを、伝票データチェック手段によって予め規定された判定条件に適合するか否か判定し不適合であった場合に、伝票レイアウト上に表示されるそれぞれの伝票データの表示位置を位置情報として保存し、当該位置情報に基づいてエラー箇所を特定し伝票エントリー端末に備えられた表示装置に強調表示し、さらに利用者によって前述の強調表示されたエラー箇所が選択された場合に、前述のエラーの係る詳細情報をポップアップ表示する。これにより、利用者は、エラー箇所を容易に発見することができるため、エラーの修正にかかる時間を短縮でき、さらに精度向上を図ることが可能となる。
【符号の説明】
【００９９】
２０  伝票エントリー端末
２５  イメージデータ読取手段
２６  付加情報読取手段
２７  レイアウト構成手段
３０  伝票データ用記憶装置
４０  伝票データチェック装置
４３  位置情報記憶手段
４４  伝票イメージ作成手段
４５  付加情報作成手段
５０  伝票データ用記憶装置
【図１】
2011232826.tif 000003
【図２】
2011232826.tif 000004
【図３】
2011232826.tif 000005
【図４】
2011232826.tif 000006
【図５（Ａ）】
2011232826.tif 000007
【図５（Ｂ）】
2011232826.tif 000008
【図５（Ｃ）】
2011232826.tif 000009
【図６】
2011232826.tif 000010
【図７】
2011232826.tif 000011
【図８（Ａ）】
2011232826.tif 000012
【図８（Ｂ）】
2011232826.tif 000013
【図８（Ｃ）】
2011232826.tif 000014
【図９（Ａ）】
2011232826.tif 000015
【図９（Ｂ）】
2011232826.tif 000016
【図９（Ｃ）】
2011232826.tif 000017
【図１０】
2011232826.tif 000018